(57)【要約】      （修正有）【課題】  紙葉類処理装置で処理された紙葉類を収納するカセットに付与した識別符号を認識することにより、当該カセットを取り出して当該紙葉類処理装置に装着して内部の紙葉類を処理できるようにした紙葉類処理装置を提供する。【解決手段】  カセット５７Ｄに収納されている紙葉類を正券及び損券に区分する場合、操作員がカセット５７Ｄをカセット供給台７１に装着し、装置を起動すると、カセット５７Ｄのバーコード５７Ｆがバーコードリーダ７２によって読み取られ、券種、及び枚数が記憶部から読み出される。同時に、カセット５７Ｄが開錠され、カセット内部の紙葉類は、バックアップ板５７Ｅによって押し出され、供給台７０移され、バックアップ板４Ａによってピックアップローラ５側に押圧され、取り出しローラ３０によって1枚ずつ取り出され、紙葉類判別装置１９によって判別され、正券及び損券に区分されて指定されたカセットに収納される。【選択図】  図１
2007079842.tif 000002
【特許請求の範囲】
【請求項１】
紙葉類を供給する紙葉類供給部を有し、この紙葉類供給部から供給された前記紙葉類を紙葉類判別装置で判別し、その判別結果に基づいて前記紙葉類を区分し、集積装置のカセットに前記紙葉類を収納する紙葉類処理装置であって、
前記カセットは、前記集積装置に着脱可能に設けられ、
前記紙葉類供給部の搬送方向上流に配置され、前記集積装置から取り外されたカセットが装着されるカセット供給部と、
このカセット供給部に前記カセットが装着されたとき、当該カセットに付与された識別符号を認識する認識手段と、
この認識手段による認識の結果に基づいて、前記カセットに収納された紙葉類の属性を記憶する記憶手段と、
このカセット供給部に装着されたカセットの中の紙葉類を前記紙葉類供給部に送り出す送り出し手段と、
この送り出し手段により送り出された前記紙葉類を供給する紙葉類供給部と、
を備え、前記認識手段による認識の結果に基づいて、当該カセットに収納されている紙葉類の属性を前記記憶手段から読み出し、この読み出した属性に基づいて、前記送り出し手段によって前記紙葉類供給部に供給された紙葉類を処理することを特徴とする紙葉類処理装置。
【請求項２】
前記紙葉類の属性は、
前記紙葉類判別装置によって判別された前記紙葉類の種類、紙葉類の枚数、紙葉類の搬送状態、紙葉類の正券又は損券の別、紙葉類の供給元の中の少なくとも１つ以上を備えていることを特徴とする請求項１記載の紙葉類処理装置。
【請求項３】
前記カセット供給部は、
前記カセットの紙葉類の入口側を底部側に対して高くなるように傾斜して装着するカセット供給台と、
この供給台にカセットを装着後、当該カセットを開錠する開錠手段と、
を備え、
前記カセット送り出し手段は、
前記カセット内の紙葉類を積載する第３のバックアップ板と、
このバックアップ板をカセットの底部側から入口側に駆動する駆動手段と、
を備え、
前記カセットを前記カセット供給台に装着して当該紙葉類処理装置を駆動するとき前記開錠手段によって当該カセットが開錠され、前記バックアップ板によってカセット内の紙葉類がカセット外に送り出されることを特徴とする請求項１記載の紙葉類処理装置。
【請求項４】
前記認識手段は、
前記カセットに付与された識別符号であるバーコードを読み取り、かつ認識するバーコードリーダであることを特徴とする請求項１記載の紙葉類処理装置。
【請求項５】
前記紙葉類供給部は、
紙葉類を紙葉類取出装置のピックアップローラ側に押圧する第1のバックアップ板と、
前記カセット供給台に装着されたカセットから前記第３のバックアップ板によって送り出された紙葉類を、この第３のバックアップ板により押圧する力よりは小さい力で反対方向に押圧して前記カセットから送り出された紙葉類を挟持する第２のバックアップ板と、
を備えたことを特徴とする請求項１又は請求項３記載の紙葉類処理装置。
【発明の詳細な説明】
【技術分野】
【０００１】
本発明は、紙幣などの紙葉類を判別して区分処理する紙葉類処理装置に関し、特に、区分処理されて収納されたカセットをロックして取り出し、この取りだしたカセットをそのまま紙葉類処理装置にセットできるようにした紙葉類処理装置に関する。
【背景技術】
【０００２】
従来、紙幣などの紙葉類を処理する紙葉類処理装置では、処理する紙葉類を集積し一括して供給部に供給していた。この供給部に供給された紙葉類を1枚ずつ取り出して判別装置で判別し、この判別装置の判別結果に基づいて、複数の集積装置で集積処理し、又は複数の施封装置で施封処理していた。
【０００３】
上記集積装置には羽根車集積装置及びカセットが設けられている。この羽根車集積装置は、搬送されてきた紙葉類を羽と羽の間で受け取れるように紙葉類の搬送に同期して回転し、高速に搬送される紙葉類の運動エネルギーを吸収しながら、かつ、紙葉類を整位して羽根車集積装置内の一時集積庫に集積する。この一時集積庫に集積された紙葉類は、所定枚数に達するとこの羽根車集積装置の下部に設けられたカセットに収納される。そして、紙葉類の処理が終了したとき、又はカセットが満杯になり、カセットを交換するために集積装置から取り出すとき、カセットを自動的にロックし、紙葉類が抜き取られるのを防止していた。
【０００４】
従って、例えば、複数の券種が混在した紙葉類を紙葉類の劣化レベル（正損レベル）ごとに区分する場合は、最初に複数の券種が混在する紙葉類を券種毎にカセットに区分する。次に、操作員はこの区分されたカセットを引き出し、引き出した箇所に空のカセットをすべて装着する。次に、券種毎に区分されたカセットの中から、損券レベルごとに区分する例えばA券種のカセットを取り出してロックを解除し、このA券種のカセットに収納されている紙葉類を抜き出して、搬送する姿勢（紙葉類の表裏、正逆などの搬送状態のこと）を揃えて供給部に装填する。紙葉類処理装置は、供給されたA券種の正損レベルを判別し、この判別結果に応じて正損レベル毎にカセットに区分する。以上の作業を複数回繰り返すことによって、紙葉類の取り揃えを行っていた。
【０００５】
一方、顧客が操作して金融取引を行う自動取引装置（ＡＴＭ、ＣＤなど）と、現金を鑑別及び計数する現金処理機をネットワークで接続し、該自動取引装置で入金された現金収納カセットを施錠して、該現現金処理機に装着して現金を処理する現金取扱システムが知られている（例えば、特許文献１参照。）。
【特許文献１】特開２００４−３１８４１５号公報  （第７−８頁、図１）
【発明の開示】
【発明が解決しようとする課題】
【０００６】
従来の紙葉類処理装置では、上述したように、カセット交換処理を複数回繰り返すことによって紙葉類を取り揃えているため、カセットの紙葉類を取り出すための開錠作業、カセットから紙葉類を抜き取る作業、抜き取った紙葉類を供給部に装填する作業などがあり、その交換作業が面倒なのと、処理途中で紙葉類を落下した場合などにどのカセットから落下したかが不明になり、員数が合わなくなるという不具合があった。
【０００７】
また、特許文献１記載の現金取扱システムは、現金の計数を主の用途としているため、紙葉類の種類、枚数、搬送状態、正損の別などに区分することが出来ないのと、カセットに識別符号を付与していないため、外見から内容物を確認できないという問題がある。
【０００８】
本発明は、上記問題を解決するためになされたもので、集積装置から施錠されたカセットを抜き取り、そのカセットをそのまま紙葉類処理装置に装着できるようにする。この際、当該カセットには識別符号が付与されており、このカセットに付与された識別符号を認識することにより、カセット内の紙葉類の属性（紙葉類の種類、枚数、搬送状態、正損の別、紙葉類の供給元など）を把握して、カセットの自動開錠を行い、紙葉類を処理することにより、カセットの開錠、紙葉類の抜き取り、抜き取った紙葉類の装填作業を不要にし、員数不一致を防止するとともに、操作性を向上した紙葉類処理装置を提供する。
【課題を解決するための手段】
【０００９】
上記目的を達成するために、本発明の請求項１記載の紙葉類処理装置は、紙葉類を供給する紙葉類供給部を有し、この紙葉類供給部から供給された前記紙葉類を紙葉類判別装置で判別し、その判別結果に基づいて前記紙葉類を区分し、集積装置のカセットに前記紙葉類を収納する紙葉類処理装置であって、前記カセットは、前記集積装置に着脱可能に設けられ、前記紙葉類供給部の搬送方向上流に配置され、前記集積装置から取り外されたカセットが装着されるカセット供給部と、このカセット供給部に前記カセットが装着されたとき、当該カセットに付与された識別符号を認識する認識手段と、この認識手段による認識の結果に基づいて、前記カセットに収納された紙葉類の属性を記憶する記憶手段と、このカセット供給部に装着されたカセットの中の紙葉類を前記紙葉類供給部に送り出す送り出し手段と、この送り出し手段により送り出された前記紙葉類を供給する紙葉類供給部と、を備え、前記認識手段による認識の結果に基づいて、当該カセットに収納されている紙葉類の属性を前記記憶手段から読み出し、この読み出した属性に基づいて、前記送り出し手段によって前記紙葉類供給部に供給された紙葉類を処理することを特徴とする。
【発明の効果】
【００１０】
本発明によれば、集積装置から施錠されたカセットをそのままカセット供給部に装着し、当該カセットに付与された識別符号を認識することにより、カセット内の紙葉類の属性を把握して、カセットの自動開錠を行い、紙葉類を処理することができるので、カセットの開錠、紙葉類の抜き取り、抜き取った紙葉類の装填作業が不要になり、員数不一致を防止するとともに、操作性が向上する。
【発明を実施するための最良の形態】
【００１１】
以下、図面を参照して本発明の実施例を説明する。
【実施例】
【００１２】
図１は、本発明の実施例によるカセット供給部を備えた紙葉類処理装置の概略断面図である。紙葉類処理装置は、紙葉類処理部１及び主制御部５００で構成されている。
【００１３】
主制御部５００に接続された操作表示部５０２から操作員の操作によって、入金業務、整理業務などの取引方法の設定、処理した紙葉類Ｐを収納する収納庫（以下、カセットと称する。）を設定するカセットアサイン、及び紙葉類の判別レベルである正損レベル設定などが行われる。この設定の後、紙葉類供給部７０に供給された複数券種の紙葉類Ｐ、又は、カセット供給部７１に装着されたカセットが開錠され、当該カセットに収納されている紙葉類Ｐが一定の間隔で１枚ずつ取り出されて搬送され、上記カセットアサインによって設定されたカセット５７Ｄ〜６２Ｄに収納、又は施封される。
【００１４】
また、設定した業務の取引終了時には、各業務終了に伴う取引の区切り処理が行われる。さらに、１日の業務終了などの単位で取引計数を集計し、上位ＰＣ（図示しない）に取引結果を通知するバランス処理が行われる。この上位ＰＣには、例えば、本実施例の紙葉類処理装置が複数台接続され、各紙葉類処理装置の稼動状況の把握や、各紙葉類処理装置からの処理結果の集計が行われる。
【００１５】
入金業務とは、予め合計金額のわかっている複数券種の紙葉類Ｐを、紙葉類処理装置を用いて、券種毎、搬送状態毎、正損毎などに区分し、紙葉類処理装置で計数した金額が正しいことを確認し、システム（上位ＰＣ）に登録する業務である。なお、この業務によって処理された紙葉類Ｐは、上述した集積装置５７〜６２の各カセット５７Ｄ〜６２Ｄに集積され、又は施封部４０で施封される。
【００１６】
整理業務とは、入金業務においてシステム（上位ＰＣ）に計数を登録しない業務である。取引した券種を計数することが目的ではなく、一度入金業務などで計数を行った券種をさらに詳細に、例えば正損レベル毎に、集積装置５７〜６２の各カセット５７Ｄ〜６２Ｄに集積したり、施封を行ったりする業務である。
【００１７】
カセットアサインとは、集積装置５７〜６２の各カセット５７Ｄ〜６２Ｄに収納する券種、及び施封部で施封する券種を設定することである。
【００１８】
正損レベル設定とは、再流通可能な正券と再流通不可能な損券に区分する閾値のレベルを設定することである。
【００１９】
取引の区切り処理とは、各取引終了後、例えば操作表示部５０２に設けられた完了ボタン（図示しない）が押下されたとき、上記集積装置５７〜６２に集積された紙葉類を各カセット５７Ｄ〜６２Ｄに収納する処理のことで、紙葉類が収納された各カセットは、操作員によって空のカセットと交換される。
【００２０】
ここで、紙葉類Ｐが搬送されるときの搬送状態について説明する。紙葉類Ｐは、表（Ｆａｃｅ：表を上にした状態）、裏（Ｂａｃｋ：裏を上にした状態）、正（Ｆｏｗａｒｄ：紙葉類の表もしくは裏の印刷が正立した状態）、逆（Ｒｅｖｅｒｓｅ：紙葉類の表もしくは裏の印刷が倒立した状態）の４種類あり、これらを組み合わせた表正ＦＦ、表逆ＦＲ、裏正ＢＦ、裏逆ＢＲからなる４種類の搬送状態が形成される。
【００２１】
紙葉類処理部１は、紙葉類Ｐを供給する供給部７と、この供給部７から供給された紙葉類Ｐを１枚ずつ取り出す紙葉類取出装置２００と、この紙葉類取出装置２００によって取り出された紙葉類Ｐを図示矢印Ａ１からＡ２方向に搬送する搬送路１６とを有している。また、この搬送路１６によって搬送される紙葉類Ｐの搬送ピッチを補正する搬送ピッチ補正部２１０が配置されている。さらに、この搬送ピッチ補正部２１０によって搬送ピッチが補正された紙葉類Ｐを１枚ずつ判別する紙葉類判別装置（紙葉類判別手段）１９、が搬送路１６に沿って配置されている。上記紙葉類判別装置１９の判別結果に基づき紙葉類Ｐの搬送状態を揃えるために反転する反転処理部が配置されている。このようにして搬送状態の揃えられた紙葉類Ｐは操作表示部５０２によって、区分方法が設定されると、この設定に基づいて施封する施封部４０で施封され、又は券種毎に集積する集積部５０に集積される。
【００２２】
さらに、紙葉類処理部１はインターフェース５０１を介して主制御部５００に接続されている。以下、紙葉類処理部１の構成を紙葉類Ｐの供給部７から順に説明する。
【００２３】
上記供給部７は、紙葉類Ｐを立位状態に積層して供給する紙葉類供給部７０と、集積部５０のカセットに収納された紙葉類をカセットのまま供給するカセット供給部７１と、カセットを識別するために各カセットに付与された識別符号を認識するバーコードリーダ７２で構成される。
【００２４】
紙葉類供給部７０には、紙葉類Ｐを立位状態に積層して供給する供給台が設けられている。さらに、この供給台に供給された紙葉類Ｐをピックアップローラ５側に押圧するバックアップ板４Ａ、このバックアップ板４Ａをスライドさせるバックアップガイドシャフト、バックアップ用押し付けバネ４Eなどが設けられている（詳細は後述する。）。
【００２５】
カセット供給部７１には、カセット５７Ｄ〜６２Ｆの何れかを装着できるようになっており、当該カセットを装着し、装置を起動することによって、カセットの施錠が開錠され、後述するバックアッププレートによって収納されている紙葉類が紙葉類供給部７０側に押し込まれる（詳細は後述する。）。また、カセット供給部７１から押し込まれた紙葉類を保持するためのバックアップ板４Ｂがバックアップガイドシャフトに設けられている。同様にバックアップ用押し付けバネ４Fが設けられている。
【００２６】
バーコードリーダ（認識手段）７２は、カセットに付与された認識符号であるバーコードを認識するためにバーコードを照明する照明部（図示しない）、この照明部によって照明されたエリアの反射光をＣＣＤなどのラインセンサでスキャニングして読み取る読み取り部（図示しない）、及びこの読み取り部で読み取った読み取り画像の文字認識を行う認識部（図示しい）を備えている。そして、カセット供給部７１にカセットが装着されたときに、このバーコードリーダ７２によって当該カセットが認識される。なお、本実施例では、バーコードとしてＩＴＦコードを用いたが、これ以外のバーコードでもよい。また、識別符号としては、非接触ＩＣカードを用い、非接触ＩＣカードリーダ・ライタで読み取っても同様の効果を得ることができる。
【００２７】
このような構成により、紙葉類Ｐは、取り出しローラ３０が回転する毎に一定間隔を有して1枚ずつ取り出されて搬送路１６に取り出される。
【００２８】
搬送ピッチ補正部２１０は、搬送ローラ２１１の搬送方向下流に近接して設置されて紙葉類Ｐを検知するタイミングセンサＳＣ１と、搬送ローラ駆動モータ２１２からの駆動力によって回転速度を可変することができる搬送ローラ２１３と、この搬送ローラ２１３に対向配置されたピンチローラ２１４及び搬送ローラ駆動モータ２１２を制御する搬送ピッチ制御部（図示なし）とで構成される。
【００２９】
分岐ゲートＧ１は、例えば、リジェクト券と、処理券とに振り分けるゲートである。リジェクト券とは、紙葉類判別装置１９の紙葉類判別部（詳細は、後述する。）で紙葉類Ｐを判別した結果、紙葉類Ｐが偽券、又は折れ、破れ、スキューなどにより判別のできない「判別不能券」と判別された紙葉類をいう。この判別結果を搬送制御部（詳細は、後述する）が受信すると、分岐ゲートＧ１を右側（時計方向）に回動することにより、当該リジェクト券をリジェクト集積部８０に集積する。
【００３０】
また、処理券とは、紙葉類判別装置１９の紙葉類判別部で判別された紙葉類Ｐが真券で正券、又は真券で損券をいう。搬送制御部は、その判別結果を受信すると、分岐ゲートＧ１を左側（反時計方向）に回動して、当該紙葉類を区分処理する。
【００３１】
反転処理部は、スイッチバック反転部（図示しない）及び表裏反転部９で構成され、取り揃える方向により上記スイッチバック反転部及び表裏反転部９の一方、若しくは両方が使用される。
【００３２】
分岐ゲートＧ２は、表裏反転分岐ゲートである。紙葉類判別部で判別された紙葉類Ｐの搬送状態の結果に基づき、表裏反転を必要とする場合に右側（時計方向）に回動し、紙葉類Ｐを図示矢印Ａ６で示す表裏反転部９を通過させる。また、表裏反転を必要としない場合、分岐ゲートＧ２を、左側に回動し、紙葉類Ｐを図示矢印Ａ４で示す方向に搬送させる。
【００３３】
表裏反転部９は、紙葉類判別装置１９の紙葉類判別部で判別された結果に基づき、紙葉類Ｐの搬送状態の表裏を反転する。例えば搬送状態が裏逆ＢＦの場合、表裏反転部９によって表正ＦＦになる。
【００３４】
分岐ゲート（分岐手段）Ｇ３は、搬送される紙葉類Ｐを搬送路１６から施封部４０、又は集積部５０に分岐する分岐ゲートである。搬送される紙葉類Ｐが主制御部５００によって施封するように指定された券種の場合、搬送制御部は、分岐ゲートＧ３を右側（時計方向）に回動し、紙葉類Ｐを施封部４０が設けられている図示矢印Ａ４０の方向に搬送する。また、それ以外の券種の紙葉類Ｐは、分岐ゲートＧ３から分岐ゲートＧ４〜Ｇ８を経由して集積装置５７〜６２に集積するように振り分けられる。
【００３５】
施封部４０及び集積部５０には、紙葉類Ｐが搬送される搬送路から分離するために搬送路の終端に紙葉類Ｐを集積する集積装置として羽根車集積装置が設けられている。
【００３６】
この羽根車集積装置は、例えば、集積装置５７の場合、羽根車５７Ａ、一時集積庫５７Ｂ、シャッター５７Ｃ、カセット５７Ｄ、バックアップ板５７Ｅ及び集積を補佐するプッシャ（図示しない）などの装置で構成される。
【００３７】
羽根車５７Ａは、複数の羽根が回転軸の周辺に組み込まれており、搬送されてきた紙葉類Ｐを羽根と羽根の間で受け取れるように紙葉類Ｐの搬送に同期して回転している。この羽根車を使用することによって、高速に搬送される紙類Ｐの運動エネルギーを吸収しながら紙葉類Ｐを整位し、一時集積庫５７Ｂに集積する。
【００３８】
一時集積庫５７Ｂは、集積装置５７で使用される一時集積庫５７Ｂと、施封部４０の一時集積庫４２Ｂとでは以降で処理する目的が異なるために形態が異なっている。
【００３９】
集積装置５７で使用される一時集積庫５７Ｂには、シャッター５７Ｃが備えられており、このシャッター５７Ｃの上に紙葉類Ｐが集積される。そして、このシャッター５７Ｃに集積された紙葉類Ｐは、例えば満杯になったとき、又は業務終了指示（図示しない）などがあると、シャッター５７Ｃが開き、シャッター５７Ｃ下部に設けられたカセット５７Ｄのバックアップ板５７Ｅに落下し、プッシャーによってカセット５７Ｄ内に押し込まれて集積される。以上の動作は、集積装置５７〜６２で共通である。
【００４０】
施封部４０は、第1施封装置４２及び第２施封装置４３で構成された場合を示しており、第1施封装置４２、第２施封装置４３共同様に構成されているので、ここでは、第1施封装置４２について説明する。
【００４１】
第1施封装置４２には、上述した羽根車集積装置が設けられており、この羽根車集積装置によって紙葉類Ｐは一時集積庫４２Ｂに集積される。
【００４２】
一時集積庫４２Ｂは、搬送される紙葉類Ｐを計数し１００枚毎に区分して集積するバックアッププレート４２Ｃを備えている。
【００４３】
このバックアッププレート４２Ｃの上に集積された紙葉類Ｐが１００枚（以下、１００枚紙葉類Ｈと称する。）に達すると、プッシャー(図示しない)が下降して、この１００枚紙葉類Ｈを一時集積庫４２Ｂに押し込む。次に、バックアッププレート４２Ｃとプッシャーで１００枚紙葉類Ｈを保持して後述する搬送キャリア４２Ｆに渡される。搬送キャリア４２Ｆは、搬送部によって搬送され施封トレイ（図示しない）に渡される。
【００４４】
搬送部は、縦搬送路４２Ｄ、搬送キャリア４２Ｆ、及び横搬送路４２Ｅから構成される。縦搬送路４２Ｄは、バックアッププレート４２Ｃで受けた１００枚紙葉類Ｈを上昇又は下降するためのものである。また、搬送キャリア４２Ｆは、縦搬送路４２Ｄ又は縦搬送路４２Ｄの停止位置でバックアッププレート４２Ｃから１００枚紙葉類Ｈを受け、施封トレイ（図示しない）に渡すために横搬送路４２Ｅ上を往復移動することができるように構成される。
【００４５】
紙帯部は、施封トレイに積載された１００枚紙葉類Ｈを施封するための紙帯４２Ｇ、この紙帯４２Ｇに印刷するための印刷機能と印刷された紙帯４２Ｇを送る機能とを備えた帯送り部４２Ｈ、１００枚紙葉類Ｈを帯送り部４２Ｈから送られた印刷済み紙帯で施封する帯巻き部４２Ｉ、及び施封部４０を制御する施封制御部４００とで構成される。なお、上述したように、施封装置４３は、上記施封装置４２と同様に構成されている。
【００４６】
図２は、紙葉類判別装置１９及び主制御部５００の構成を示すブロック図である。紙葉類判別装置１９は、紙葉類Ｐの判別を行う紙葉類判別部２０と、搬送される紙葉類Ｐの行き先を決定する搬送制御部２６とで構成される。なお、搬送制御部２６は、紙葉類判別装置１９と分離して設けても同様に機能させることが可能である。
【００４７】
紙葉類判別部２０は、紙葉類Ｐの材質に関わる光学的特性や磁気的特性を検出するための複数のセンサ１〜ｎ、これらセンサ１〜ｎの出力信号を増幅する増幅回路１〜ｎ、この増幅回路１〜ｎの出力信号を処理する処理手段から構成される。この処理手段は、Ａ／Ｄ変換するためのＡ／Ｄ変換部２４、このＡ／Ｄ変換部２４でＡ／Ｄ変換されたデータを論理演算する論理回路部２３、この論理回路部２３の出力信号から真偽（本物か偽物か）、正損（正券か損券か）を判別する他、紙葉類判別部２０の全体を制御するＣＰＵ２１と、このＣＰＵ２１によってアクセスされる記憶部２５、及びＣＰＵ２１で判別された結果を主制御部５００との間で通信するためのＩ／Ｆ部２２とで構成される。
【００４８】
また、搬送制御部２６は、紙葉類判別部２０の判別結果により、搬送される紙葉類Ｐの行き先を決定して、紙葉類Ｐの搬送制御を行うＣＰＵ２７と、このＣＰＵ２７によってアクセスされる記憶部２９と、紙葉類判別部２０とのＩ／Ｆ部２８とで構成される。
【００４９】
主制御部５００は、主制御部５００を制御するＣＰＵ５０４、記憶部（記憶手段）５０５、インターフェース部５０３を備えており、操作表示部５０２、バーコードリーダ７２及び上位ＰＣ（図示しない）に接続されている。
【００５０】
ＣＰＵ５０４は、操作表示部５０２から操作員によって設定された入金業務、整理業務などの取引方法の設定、処理した紙葉類Ｐを収納する収納庫を設定するカセットアサインの設定、及び紙葉類の判別レベルである正損レベル設定などの情報を紙葉類判別装置１９の紙葉類判別部２０及び搬送制御部１９に送信する。また、紙葉類Ｐの判別結果を紙葉類判別装置１９から受信し、上位ＰＣに送信する。ここでは、取引の区切り処理が行われた際の取引計数が送信される。
【００５１】
図３は、紙葉類供給部７０の詳細図である。図３（１）は平面図で、図３（２）は正面図で、図３（３）は側面図である。
【００５２】
紙葉類供給部７０には、紙葉類（第１紙葉類）Ｐ１を立位状態に積層して供給する供給台７０Ａが設けられている。さらに、この供給台７０Ａに供給された紙葉類Ｐ１をピックアップローラ５側に押圧するバックアップ板（第1のバックアップ板）４Ａ、このバックアップ板４Ａをスライドさせるためのバックアップガイドシャフト４Ｃ、バックアップ用押し付けバネ４Ｅが設けられている。
【００５３】
ここで、バックアップ板４Ａによる押圧について説明する。バックアップ板４Ａの一端には軸受けが設けられており、バックアップガイドシャフト４Ｃにこの軸受けによって支えられている。この軸受けは、バックアップ用押し付けバネ４Ｅのバネ力によって図示矢印Ｆ１で示すピックアップローラ５側に常時押圧されている。従って、ピックアップローラ５とバックアップ板４Ａの間に紙葉類Ｐ１が供給されていれば、この紙葉類Ｐ１は常に所定のバネ力によってピックアップローラ５側に押圧される。
【００５４】
また、このバックアップ板４Ａは、軸受けに支持されているため、図３（３）で示すようにバックアップガイド４Ｃを軸として図示矢印Ａ７０の方向に回動できる。
【００５５】
ここで、紙葉類供給部７０に紙葉類を供給するときのバックアップ板４Ａ、バックアップ板（第２のバックアップ板）４Ｂの動作を図４及び図５を参照して説明する。最初に、供給台７０Ａの紙葉類Ｐ１が少なくなったため、操作員は例えばヘッダーカードで仕切られた紙葉類Ｐ２を図示矢印Ｆ３の方向に押し付ける。この結果、紙葉類Ｐ２はバックアップ板４Ｂとの間に挟まれた状態で供給台７０Ａの上を左側に移動し、バックアップ板４Ａのマグネットキャッチ４Ａ１にバックアップ板４Ｂの吸着板４Ｂ１が吸着する（図４参照）。
【００５６】
次に、吸着したマグネットキャッチ４Ａ１と吸着板４Ｂ１を吸着した状態でバックアップガイドシャフト４Ｃを軸に回動させることによって抜き取る。この抜き取りによって紙葉類Ｐ１と紙葉類Ｐ２は一体になる。一体になった紙葉類Ｐ１、Ｐ２は操作員の手（図示しない）によって支えられる。
【００５７】
次に、抜き取ったバックアップ板４Ａ、４Ｂをバックアップガイドシャフト４Ｃにそって一体になった紙葉類Ｐ１、Ｐ２を支えている手の部分まで移動し、バックアップガイドシャフト４Ｃを軸にしてバックアップ板４Ａ、４Ｂを再び回動して紙葉類Ｐ１、Ｐ２を押圧する。ここで、バックアップ板４Ｂの吸着板４Ｂ１を外し、バックアップ板４Ａによって紙葉類Ｐ１、Ｐ２を押圧するようにする（図５）。
【００５８】
本実施例では、バックアップ板４Ａ、４Ｂを吸着した状態であっても、バックアップ板４Ａによる力がバックアップ板４Ｂによる力よりも大きく設定し、かつ、バックアップ板４Ｂを押し付けるバネ力を（一定荷重バネを用いて）一定にすることによって、紙葉類を追加投入したときにバックアップ４Ａがピックアップローラ５の方向に移動するのに伴ってバックアップ４Ｂが移動しても操作力に影響を与えないようにバネ力は設定される。
【００５９】
上記マグネットキャッチは、相互に簡単に一体化できると共に、紙葉類の追加投入後は簡単に分離可能なものがより好適である。
【００６０】
図６は、紙葉類供給部７０にカセット供給部７１が連結された状態を示す。カセット供給部７１には、集積部５０のカセット５７Ｄ〜６２Ｆの何れかが装着できるようになっており、カセット５７Ｄが装着された場合の一例を図示してある。このカセット５７Ｄを開錠すると、図示したように紙葉類を取り出す方向の先端は開放状態になる。この開放状態になっても、カセット５７Ｄ内の紙葉類Ｐ３が立位状態で倒れないようにするために、カセット供給部７１のカセット供給台７１Ａは、所定の角度、傾斜して配置される。このようにすることによって、積層された紙葉類Ｐ３の重力によって供給台７１Ａと平行な力が図示矢印Ｆ３と反対方向に加わるため紙葉Ｐ３の荷崩れを防止することができる。ここで供給台７１Ａを傾斜する傾斜角度は、取り扱う紙葉類の種類により操作のしやすさから任意に設定される。
【００６１】
また、装置が稼動状態になると、カセット内のバックアップ板（第３のバックアップ板）５７Ｅは、これを駆動する駆動手段である駆動モータ（図示しない）によって、図示矢印Ｆ３で示す方向に移動し、当該紙葉類Ｐ３をバックアップ板４Ｂ側に押圧する。
【００６２】
紙葉類供給部７０に紙葉類がなく、カセット供給部７１から紙葉類を供給する場合は、操作表示部５０２から係員によって設定されると、バックアップ板５７Ｅは紙葉類Ｐ３をカセット供給部７１の外に押し出す。押し出された紙葉類Ｐ３はバックアップ板４Ｂと共に、左側に移動する。以降の動作は、紙葉類供給部７０におけるバックアップ板４Ａ、４Ｂの動作と同じである。以上の構成によって、カセット供給部７１から紙葉類Ｐ３が供給され操作表示部５０２から捜査員によって指示された処理が行われる。
【００６３】
次に、入金業務で紙葉類を券種毎に集積区分した後に、特定の券種について正券及び損券に区分集積する整理業務を行う場合を例に、カセットに付与されたバーコードがどのように利用されるかの説明を行う。
【００６４】
入金業務の場合、複数券種が混在する紙葉類が紙葉類供給部７０に供給され、券種毎に集積装置５７〜６２の各カセット５７Ｄ〜６２Ｄに収納され、又は施封部４０で施封される。
【００６５】
入金業務が終了すると、業務終了に伴う取引の区切り処理が行われる。この区切り処理の結果、例えば、カセット５７Ｄには券種１が収納され、このカセット５７Ｄに収納されている紙葉類の枚数５７Ｎなどの属性が紙葉類処理装置の記憶手段としての記憶部５０５に記憶される。同様に、カセット５８Ｄには券種２が収納され、このカセット５８Ｄに収納されている紙葉類の枚数５８Ｎなどの属性が紙葉類処理装置の記憶部５０５に記憶される。他の券種も同様に処理される。また、この区切り処理の業務終了に伴って、カセット５７Ｄ〜６２Ｄを集積装置から取り出す。なお、各カセットは、常時施錠されており、カセットに紙葉類を収納する際に自動的に開錠されて紙葉類が収納され、その後自動的に施錠される。
【００６６】
次に、カセット５７Ｄに収納されている紙葉類を正券及び損券に区分する場合、カセット５７Ｄをそのまま、カセット供給部７１のカセット供給台７１Ａに装着する。
【００６７】
操作員が、操作表示部５０２から正損区分及び、正損区分した紙葉類を収納するカセットを、例えば、カセット５７Ｄに正券を収納するように設定し、カセット５８Ｄに損券を収納するように設定する（カセットアサイン処理）。この際、例えば正損区分の正損判別レベルを変更する必要があれば、上記カセットアサイン処理によって正損レベルが設定される。
【００６８】
次に、装置を起動すると、カセット供給台７１に装着されたカセットのバーコード５７Ｆがバーコードリーダ７２によって読み取られ、券種Ａ、及び枚数５０７Ｎな紙葉類の属性が記憶部５０５から読み出される。
【００６９】
同時に、カセット供給台７１に装着されたカセットが開錠され、カセット内部の紙葉類がバックアップ４Ｇによって押し出され、供給台７０Ａに立位状態で積載され、バックアップ４Ａによってピックアップローラ５側に押圧され、取り出しローラ３０によって1枚ずつ取り出される。
【００７０】
1枚ずつ取り出された紙葉類は紙葉類判別装置１９によって判別され、供給された紙葉類は、正券及び損券に区分されてカセット５７Ｄ及びカセット５８Ｄに収納される。カセット５７Ｄ及びカセット５８Ｄに収納された紙葉類の券種及び枚数の合計値が供給部７１から供給された紙葉類の枚数５０７Ｎに一致するか確認される。
【００７１】
なお、本実施例では、カセットのバーコードをカセット供給台７１に組み込まれたバーコードリーダ７２で読み取り認識する場合を示したが、主制御部５００に接続されたハンドスキャナで読み取り認識することも可能である。この場合には、カセットを集積装置５０から取り出し、ハンドスキャナで読み取り認識し、その後、当該カセットをカセット供給台７１に装着して紙葉類処理装置で処理することになるが、上述した実施例と同様の効果が得られる。以上のように、入金業務及び整理業務を行うに当り、カセットのまま装置に装着することができるため、カセットの開錠、紙葉類の取り出し、取り出した紙葉類の装填作業などの処理を行う必要がない。また、各カセットの中身はカセットに付与されたバーコードによって電子的に記憶されているため、員数不一致を防止することができる。
【００７２】
（応用例）
本実施例のカセットと、ＡＴＭ（自動現金預入払出機）に使用されているカセットを共通にし、金融機関で使用されているＡＴＭのカセットをそのまま本実施例の紙葉類処理装置のカセット供給台に供給して、紙葉類を処理することが可能である。この場合には、カセットに付与されたバーコードの属性である紙葉類の供給元として金融機関識別コードが用いられる。
【００７３】
この応用例では、金融機関で使用されているＡＴＭカセットを開錠することなく、本実施例の紙葉類処理装置に装着して紙葉類を処理することができるため、カセットの開錠、紙葉類の取り出し、取り出した紙葉類の装填作業などの処理を行う必要がないため、安全性の高く、操作性のよい紙葉類処理装置になる。
【図面の簡単な説明】
【００７４】
【図１】本発明の実施例によるカセット供給部を備えた紙葉類処理装置の概略断面図。
【図２】図１に示す紙葉類処理装置に用いられる紙葉類判別装置及び主制御部の構成を示すブロック図。
【図３】図１に示す紙葉類処理装置に用いられる紙葉類供給部の詳細図。
【図４】紙葉類供給部の動作を説明する図。
【図５】紙葉類供給部のバックアップの動作を説明する図。
【図６】紙葉類供給部にカセット供給部が連結された状態を示す図。
【符号の説明】
【００７５】
Ｐ、Ｐ１、Ｐ２  紙葉類
Ｇ１〜Ｇ８  分岐ゲート
１  紙葉類処理部
４Ａ、４Ｂ、４Ｇ  バックアッププレート
４Ｃ  バックアップガイドシャフト
４０  施封部
４２、４３  施封装置
５０  集積部
５７〜６２  集積装置
５７Ｄ〜６２Ｄ  カセット
５  ピックアップローラ
１６  搬走路
１９  紙葉類判別装置
２０  紙葉類判別部
２１  ＣＰＵ
２６  搬送制御部
３０  取り出しローラ
７  供給部
７０  紙葉類供給部
７１  カセット供給部
７２  バーコードリーダ
５００  主制御部
５０２  操作表示部
５０４  ＣＰＵ
【図１】
2007079842.tif 000003
【図２】
2007079842.tif 000004
【図３】
2007079842.tif 000005
【図４】
2007079842.tif 000006
【図５】
2007079842.tif 000007
【図６】
2007079842.tif 000008